(57)【要約】【課題】編集制限がなされた記録媒体に記録されたコンテンツの再生パターンを変更できるようにする。【解決手段】編集制限がなされているディスク３１に、動画コンテンツの実データであるプレゼンテーションデータ５１と、その再生の第１のパターンを定義するナビゲーションデータ５２とが記録されている場合に、本発明が適用される記録再生装置１１は、その動画コンテンツの再生の第２のパターンを定義する第２のナビゲーションデータを生成し、その第２のナビゲーションデータをメタデータ５３として、ディスク３１とは別の記録媒体、例えばＨＤＤ２９等に記録することができる。本発明は、記録再生装置に適用可能である。【選択図】図２
2009199678.tif 000002
【特許請求の範囲】
【請求項１】
編集制限がなされている第１の記録媒体に、コンテンツと、その再生の第１のパターンを定義する第１のナビゲーションデータとが記録されている場合に、そのコンテンツの再生の第２のパターンを定義する第２のナビゲーションデータを生成する生成手段と、
前記生成手段により生成された前記第２のナビゲーションデータをメタデータとして、前記第１の記録媒体とは別の第２の記録媒体に記録することを制御する記録制御手段と
を備える情報処理装置。
【請求項２】
前記メタデータには、チャプタポイントおよび編集情報のうちの少なくとも１つの情報が含まれる
請求項１に記載の情報処理装置。
【請求項３】
前記第１のナビゲーションデータに従って前記コンテンツを再生する再生手段と、
前記再生手段により再生された前記コンテンツを使用するユーザが、前記第２のパターンを作成する編集操作を行う操作手段と
をさらに備え、
前記生成手段は、前記編集操作の内容に基づいて、前記第２のナビゲーションデータを生成する
請求項１に記載の情報処理装置。
【請求項４】
前記第１のナビゲーションデータに従って前記コンテンツを再生する再生手段と、
前記生成手段は、さらに、前記再生手段により再生された前記コンテンツの特徴情報を検出し、その検出結果に基づいて、前記第２のナビゲーションデータを生成する
請求項１に記載の情報処理装置。
【請求項５】
前記生成手段は、さらに、前記コンテンツの再生の第３のパターンを定義する第３のナビゲーションデータを生成し、
前記記録制御手段は、前記生成手段により生成された前記第３のナビゲーションデータを前記メタデータとは別のメタデータとして、前記第２の記録媒体に記録することを制御する
請求項１に記載の情報う処理装置。
【請求項６】
編集制限がなされている第１の記録媒体に、コンテンツと、その再生の第１のパターンを定義する第１のナビゲーションデータとが記録されている場合に、
情報処理装置が実行するステップとして、
そのコンテンツの再生の第２のパターンを定義する第２のナビゲーションデータを生成し、
生成された前記第２のナビゲーションデータをメタデータとして、前記第１の記録媒体とは別の第２の記録媒体に記録することを制御する
ステップを含む情報処理方法。
【請求項７】
編集制限がなされている第１の記録媒体に、コンテンツと、その再生の第１のパターンを定義する第１のナビゲーションデータとが記録されている場合に、
コンピュータに実行させるステップとして、
そのコンテンツの再生の第２のパターンを定義する第２のナビゲーションデータを生成し、
生成された前記第２のナビゲーションデータをメタデータとして、前記第１の記録媒体とは別の第２の記録媒体に記録することを制御する
ステップを含むプログラム。
【請求項８】
編集制限がなされている第１の記録媒体に、コンテンツと、その再生の第１のパターンを定義する第１のナビゲーションデータとが記録されており、
そのコンテンツの再生の第２のパターンを定義する第２のナビゲーションデータがメタデータとして、前記第１の記録媒体は別の第２の記録媒体に記録されている場合、
前記第１のナビゲーションデータと前記第２のナビゲーションデータとを合成した第３のナビゲーションデータを生成する生成手段と、
前記生成手段により生成された前記第３のナビゲーションデータに従って前記コンテンツを再生する再生手段と
を備える情報処理装置。
【請求項９】
編集制限がなされている第１の記録媒体に、コンテンツと、その再生の第１のパターンを定義する第１のナビゲーションデータとが記録されており、
そのコンテンツの再生の第２のパターンを定義する第２のナビゲーションデータがメタデータとして、前記第１の記録媒体は別の第２の記録媒体に記録されている場合、
情報処理装置が実行するステップとして、
前記第１のナビゲーションデータと前記第２のナビゲーションデータとを合成した第３のナビゲーションデータを生成し、
生成された前記第３のナビゲーションデータに従って前記コンテンツを再生する
ステップを含む情報処理方法。
【請求項１０】
編集制限がなされている第１の記録媒体に、コンテンツと、その再生の第１のパターンを定義する第１のナビゲーションデータとが記録されており、
そのコンテンツの再生の第２のパターンを定義する第２のナビゲーションデータがメタデータとして、前記第１の記録媒体は別の第２の記録媒体に記録されている場合、
コンピュータに実行させるステップとして、
前記第１のナビゲーションデータと前記第２のナビゲーションデータとを合成した第３のナビゲーションデータを生成し、
生成された前記第３のナビゲーションデータに従って前記コンテンツを再生する
ステップを含むプログラム。
【発明の詳細な説明】
【技術分野】
【０００１】
本発明は、情報処理装置および方法並びにプログラムに関し、特に、編集制限がなされた記録媒体に記録されたコンテンツの再生パターンの変更ができるようになった、情報処理装置および方法並びにプログラムに関する。
【背景技術】
【０００２】
従来、編集対象（例えば特許文献１参照）となるDVD(Digital Versatile Disk)ビデオのアプリケーションフォーマットとしては、DVD-VideoフォーマットやDVD-VRフォーマットなど複数のフォーマットが存在する。
【０００３】
【特許文献１】特開２００４−０５４８１号公報
【発明の開示】
【発明が解決しようとする課題】
【０００４】
しかしながら、DVDレコーダで録画したタイトルをDVDディスクにダビングする場合、DVD-VRフォーマットでダビングしたときには、そのディスクを後から編集することができるのに対して、DVD-Videoフォーマットでダビングをしてファイナライズを行ったときには、そのディスクに対して後から編集作業を行うことができなくなってしまう。
【０００５】
そのため、例えば、DVDレコーダに録画したテレビ番組等を、編集せずにそのままDVD-Videoフォーマットでダビングしてしまった場合、ユーザにとっては、コマーシャールのシーンの度に早送りしなくてはならないので使い勝手が悪くなってしまう、という問題が発生する。また、他人から譲り受けたディスクが、未編集のままDVD-Videoフォーマットでダビングされている様なケースでも同様の問題が発生する。
【０００６】
これらの問題は、一般のユーザが必ずしもDVD規格の内容を熟知しているわけではないので、容易に起こりうる問題だと考えられる。
【０００７】
さらに言えば、DVD-VideoフォーマットのDVDディスクのみならず、編集制限がなされた記録媒体であれば同様の問題が発生する。即ち、従来、編集制限がなされた記録媒体に記録されたコンテンツの再生パターンは変更不可能であったため、上述した問題が発生する。
【０００８】
本発明は、このような状況に鑑みてなされたものであり、編集制限がなされた記録媒体に記録されたコンテンツの再生パターンを変更できるようにするものである。
【課題を解決するための手段】
【０００９】
本発明の一側面の第１の情報処理装置は、編集制限がなされている第１の記録媒体に、コンテンツと、その再生の第１のパターンを定義する第１のナビゲーションデータとが記録されている場合に、そのコンテンツの再生の第２のパターンを定義する第２のナビゲーションデータを生成する生成手段と、前記生成手段により生成された前記第２のナビゲーションデータをメタデータとして、前記第１の記録媒体は別の第２の記録媒体に記録することを制御する記録制御手段とを備える。
【００１０】
前記メタデータには、チャプタポイントおよび編集情報のうちの少なくとも１つの情報が含まれる。
【００１１】
前記第１のナビゲーションデータに従って前記コンテンツを再生する再生手段と、前記再生手段により再生された前記コンテンツを使用するユーザが、前記第２のパターンを作成する編集操作を行う操作手段とをさらに備え、前記生成手段は、前記編集操作の内容に基づいて、前記第２のナビゲーションデータを生成する。
【００１２】
前記第１のナビゲーションデータに従って前記コンテンツを再生する再生手段と、前記生成手段は、さらに、前記再生手段により再生された前記コンテンツの特徴情報を検出し、その検出結果に基づいて、前記第２のナビゲーションデータを生成する。
【００１３】
前記生成手段は、さらに、前記コンテンツの再生の第３のパターンを定義する第３のナビゲーションデータを生成し、前記記録制御手段は、前記生成手段により生成された前記第３のナビゲーションデータを前記メタデータとは別のメタデータとして、前記第２の記録媒体に記録することを制御する。
【００１４】
本発明の一側面の第１の情報処理方法およびプログラムは、上述した本発明の一側面の第１の情報処理装置に対応する方法およびプログラムである。
【００１５】
本発明の一側面の第１の情報処理装置および方法、並びにプログラムにおいては、編集制限がなされている第１の記録媒体に、コンテンツと、その再生の第１のパターンを定義する第１のナビゲーションデータとが記録されている場合に、そのコンテンツの再生の第２のパターンを定義する第２のナビゲーションデータが生成され、生成された前記第２のナビゲーションデータをメタデータとして、前記第１の記録媒体とは別の第２の記録媒体に記録される。
【００１６】
本発明の一側面の第２の情報処理装置は、編集制限がなされている第１の記録媒体に、コンテンツと、その再生の第１のパターンを定義する第１のナビゲーションデータとが記録されており、そのコンテンツの再生の第２のパターンを定義する第２のナビゲーションデータがメタデータとして、前記第１の記録媒体は別の第２の記録媒体に記録されている場合、前記第１のナビゲーションデータと前記第２のナビゲーションデータとを合成した第３のナビゲーションデータを生成する生成手段と、前記生成手段により生成された前記第３のナビゲーションデータに従って前記コンテンツを再生する再生手段とを備える。
【００１７】
本発明の一側面の第２の情報処理方法およびプログラムは、上述した本発明の一側面の第２の情報処理装置に対応する方法およびプログラムである。
【００１８】
本発明の一側面の第２の情報処理装置および方法並びにプログラムにおいては、編集制限がなされている第１の記録媒体に、コンテンツと、その再生の第１のパターンを定義する第１のナビゲーションデータとが記録されており、そのコンテンツの再生の第２のパターンを定義する第２のナビゲーションデータがメタデータとして、前記第１の記録媒体は別の第２の記録媒体に記録されている場合、前記第１のナビゲーションデータと前記第２のナビゲーションデータとを合成した第３のナビゲーションデータが生成され、生成された前記第３のナビゲーションデータに従って前記コンテンツが再生される。
【発明の効果】
【００１９】
以上のごとく、本発明によれば、編集制限がなされた記録媒体に記録されたコンテンツの再生パターンを変更できるようになる。
【発明を実施するための最良の形態】
【００２０】
以下、図面を参照して、本発明の実施の形態について説明する。
【００２１】
図１は、本発明が適用される情報処理装置の一実施形態である記録再生装置１１の機能的構成例を示している。
【００２２】
記録再生装置１１は、コンテンツを記録し、また再生することができる。
【００２３】
ここに、コンテンツとは、広く、人間の創造的活動により生み出されるものをいう。例えば、映画、音楽、演劇、文芸、写真、漫画、アニメーション、コンピュータゲームその他の文字、図形、色彩、音声、動作若しくは映像若しくはこれらを組み合わせたもの又はこれらに係る情報を電子計算機を介して提供するためのプログラムが、コンテンツの一例である。これらのうちの主に映像を含むコンテンツを、ここでは映像コンテンツと称している。映像コンテンツは、主に静止画像を含む静止画コンテンツと、主に動画像を含む動画コンテンツとに大別できる。以下においては、動画コンテンツに着目して説明を行っていく。即ち、記録再生装置１１は、動画コンテンツを記録し、また再生させるとして、以下の説明を行っていく。
【００２４】
ただし、本明細書では、いわゆるコンテンツデータ、即ち、人間の創造的活動により生み出されたものが装置によって処理可能な形態とされたもの、例えば電気信号とされたものや、メモリに固定されたもの等も、特に区別せずにまとめて、コンテンツと称する。即ち、ここでは、動画像を構成する各フレーム又はフィールドのデータ等の集合体もまた、動画コンテンツと称する。
【００２５】
図１において、CPU（Central Processing Unit）２１は、ROM（Read Only Memory）２２に記録されているプログラム、または記憶部２９からRAM（Random Access Memory）２３にロードされたプログラムに従って各種の処理を実行する。RAM２３にはまた、CPU２１が各種の処理を実行する上において必要なデータなども適宜記憶される。
【００２６】
圧縮／伸張部２４は、所定のフォーマットに従って、例えばMPEG（Moving Picture Experts Group）のフォーマットに従って、動画コンテンツを圧縮符号化し、その結果得られる圧縮符号化動画コンテンツを出力する。また、圧縮／伸張部２４は、上述の所定のフォーマットに従って、圧縮符号化動画コンテンツを伸張復号し、その結果得られる動画コンテンツを出力する。
【００２７】
CPU２１、ROM２２、RAM２３、および圧縮／伸張部２４は、バス２５を介して相互に接続されている。このバス２５にはまた、入出力インタフェース２６も接続されている。
【００２８】
入出力インタフェース２６には、キーボード、マウスなどよりなる入力部２７、ディスプレイなどよりなる出力部２８、ハードディスクドライブ（HDD）などより構成される記憶部２９、および、モデム、ターミナルアダプタなどより構成される通信部３０が接続されている。通信部３０は、インターネットを含むネットワークを介して他の装置（図示せず）との間で行う通信を制御する。
【００２９】
入出力インタフェース２５にはまた、必要に応じてドライブ３１が接続され、磁気ディスク、光ディスク、光磁気ディスク、或いは半導体メモリなどよりなるリムーバブルメディア３２が適宜装着され、情報の授受が行われる。
【００３０】
以下、図１の記録再生装置１１の動作例について説明していく。
【００３１】
前提として、リムーバブルメディア３２として、DVD-Videoフォーマットでダビングされてしまったディスクが存在するとする。以下、かかるディスクを、別のリムーバブルメディア３２と区別するために、特にディスク３２Ｄと称する。
【００３２】
図２に示されるように、ディスク３２Ｄには、上述した圧縮符号化動画コンテンツ（実データ）を含むプレゼンテーションデータ５１が記録されるとともに、そのプレゼンテーションデータ５１の再生をナビゲートするナビゲーションデータ５２も記録されている。ここまでの内容は、従来と基本的に同様である。
【００３３】
即ち、従来においても、プレゼンテーションデータ５１を再生する手法として、このディスク３２Ｄ内部のナビゲーションデータ５２に従って再生する、という再生手法（以下、従来の再生手法と称する）が存在した。
【００３４】
記録再生装置１１が、従来の再生手法に従ってプレゼンテーションデータ５１を再生する場合、例えば次のような処理を実行する。即ち、図２に示されるように、プレゼンテーションエンジン４1は、ナビゲーションエンジン４２の制御に基づいて、圧縮符号化動画コンテンツであるプレゼンテーションデータ５１を、ディスク３２Ｄから読み出して、伸張復号する。その結果、動画コンテンツが得られる。ナビゲーションエンジン４２は、ディスク３２Ｄ内のナビゲーションデータ５２に従って、プレゼンテーションエンジン４１からの動画コンテンツの出力（再生）を制御する。
【００３５】
なお、図２のプレゼンテーションエンジン４１は、図１の圧縮／伸長部２４に対応する機能ブロックとされている。また、図２のナビゲーションエンジン４２は、図１のCPU２１のうちのプレゼンテーションデータ５１の再生を制御する機能を有する機能ブロックとされている。
【００３６】
従来においては、かかる従来の手法のみが唯一のプレゼンテーションデータ５１を再生する手法として存在していたに過ぎなかった。即ち、プレゼンテーションデータ５１を後から編集して、その編集結果に従って再生する、という手法は存在しなかった。
【００３７】
これに対して、本実施の形態の記録再生装置１１では、プレゼンテーションデータ５１を再生する手法として、従来の手法を採用していることは勿論のこと、仮想的な編集を後から行い、その編集結果に従って再生するという手法（以下、本発明の再生手法と称する）も採用している。
【００３８】
この本発明の再生手法を実現すべく、記録再生装置１１のナビゲーションエンジン４２は、ユーザ操作を適宜受け付けた上で、プレゼンテーションエンジン４１を制御してディスク３２Ｄのプレゼンテーションデータ５１を適宜再生させつつ、そのプレゼンテーションデータ５１と紐付けされたナビゲーションデータを生成し、それをメタデータ５３としてＨＤＤ２９に格納することができる。これにより、仮想的な編集を後から行うことが可能になり、その編集結果が、外部のナビゲーションデータであるメタデータ５３としてＨＤＤ２９に格納されることになる。
【００３９】
ここで、ナビゲーションデータとは、動画コンテンツ（本実施の形態ではプレゼンテーションデータ５１）の再生パターンを定義したファイルを意味している。
【００４０】
即ち、例えば、プレゼンテーションデータ５１について、チャプタポイントや編集情報(例えば再生時にスキップする区間)などの情報が、タイムスタンプで定義され、それらのタイムスタンプを含むようにメタデータ５３が構成される。
【００４１】
従って、メタデータ５３の作成手法として例えば、ユーザが記録再生装置１１を操作し、ディスク３２Ｄのプレゼンテーションデータ５１を再生させながら、チャプタ(ブックマーク)を打ったり、その再生時にスキップしたい部分を指定するような編集を行ったりする、といった作成手法を採用できる。即ち、記録再生装置１１のナビゲーションエンジン４２は、それらのユーザの編集結果を、チャプタポイントや編集情報(例えば再生時にスキップする区間)などの情報として認識して、その認識結果をタイムスタンプとして定義して、それらのタイムスタンプを含むようにメタデータ５３を作成する、といった作成手法を採用できる。
【００４２】
このようにして、メタデータ５３が一旦作成されると、ディスク３２Ｄのプレゼンテーションデータ５１の再生手法としては、ディスク３２Ｄの内部のナビゲーションデータ５２に従って再生するという従来の再生手法に加えて、ユーザによる後からの編集で作成された外部のナビゲーションデータ、即ちメタデータ５３に従って再生するという再生手法を適用することも可能になる。
【００４３】
以下、メタデータ５３の具体例について説明していく。
【００４４】
以下の例では、動画コンテンツは、放送／配信番組や映画であるとする。このような放送／配信番組や映画等を内容とするプレゼンテーションデータ５１は、一般的に、放送／配信番組単体では構成されずに、複数の放送／配信番組の他、その前後やその合間に視聴者に提示されるCM（Commercial Message）等が、所定の順番で、例えば放送局の番組スケージュールに従って、時間的に連続して順次配置されて構成されることが多い。即ち、本実施の形態におけるプレゼンテーションデータ５１には、放送／配信番組や映画等のみならず、CM（Commercial Message）等のそれ以外の部分も含むとする。
【００４５】
そこで、以下、プレゼンテーションデータ５１のうちの、放送／配信番組や映画等を、「本編区間」と適宜称する。また、「本編区間」以外の部分、即ち、「本編区間」の合間やその前後に挿入されるCM等の部分を、「CM区間」と称する。
【００４６】
図３は、メタデータ５３の具体例を示している。
【００４７】
図３の例では、３０分の放送／配信番組（タイトル）がディスク３２Ｄにダビングされた結果として、同図中に示されるプレゼンテーションデータ５１とナビゲーションデータ５２とがディスク３２Ｄに記録されている。
【００４８】
図３の例のプレゼンテーションデータ５１は、「CM区間−1」，「本篇区間−前半」，「CM区間−２」，「本篇区間−後半」，「CM区間-3」を含むように構成されていることがわかる。
【００４９】
図３の例のナビゲーションデータ５２は、５分毎に打たれたチャプタを含むように構成されてることがわかる。ここで、チャプタが打たれている位置は、プレゼンテーションデータ５１における「本篇区間」と「CM区間」との切り替わりタイミングとは無関係であるし、「本篇区間」における重要なシーンとは全く無関係である。よって、このナビゲーションデータ５２だけに従ってプレゼンテーションデータ５１を再生した場合、「CM区間」のみを飛ばして再生することや、「本篇区間」における重要なシーンから再生を開始すること等は一切できないことになる。即ち、上述した［発明が解決しようとする課題］の欄で説明した問題がそのまま発生してしまうことになる。
【００５０】
これに対して、図３の例のメタデータ５３には、ユーザの編集作業もしくは自動生成（自動生成については後述する）によって作成された情報として、シーンカットやチャプタポイントの情報などが含まれている。
【００５１】
記録再生装置１１は、このようなメタデータ５３に従ってプレゼンテーションデータ５１の再生を行う場合、即ち、仮想的な編集が行われているタイトルの再生を行う場合、ディスク３２Ｄ内のナビゲーションデータ５２と、ＨＤＤ２９内のメタデータ５３とを合成したナビゲーションデータ（以下、合成ナビゲーションデータと称する）として取り扱うことができる。 
【００５２】
具体的には例えば、図４は、図３の例のナビゲーションデータ５２と、図３の例のメタデータ５３とを合成した合成ナビゲーションデータ５４の構成例を示している。この例の合成ナビゲーションデータ５４によれば、「CM区間」が再生対象からカットされ、再生対象の「本編区間」においては、ナビゲーションデータ５２に含まれていたチャプタポイント２，３，５，６に加えてさらに、メタデータ５３に含まれていたチャプタポイントＡ，Ｂが打たれていることがわかる。
【００５３】
よって、記録再生装置１１は、この合成ナビゲーションデータ５４に従ってプレゼンテーションデータ５１を再生することで、「CM区間」のみを飛ばして再生することができるようになる。また、チャプタＡ，Ｂは、ユーザの編集作業もしくは自動生成（自動生成については後述する）によって作成されたチャプタである。即ち、「本篇区間」における重要なシーンの開始点等をチャプタＡ，Ｂとするような編集作業を行うことができる。そこで、かかる編集作業が行われている場合には、記録再生装置１１は、この合成ナビゲーションデータ５４に従ってプレゼンテーションデータ５１を再生することで、「本篇区間」における重要なシーンから再生を開始することができるようになる。即ち、合成ナビゲーションデータ５４を利用することで、上述した［発明が解決しようとする課題］の欄で説明した問題を解決することができるようになる。
【００５４】
ところで、例えば、記録再生装置１１は、特徴情報の抽出機能を有していれば、ユーザ操作に依存せずとも自身の自立的な判断で、即ち、自動的に、メタデータ５３を作成することができる。
【００５５】
なお、特徴情報自体やその抽出手法は、特に限定されない。
【００５６】
例えば、特徴情報としては、「CM区間」を検出可能な情報を採用することができる。換言すると、所定のCM区間検出手法を採用することができ、その採用手法で利用される情報を、特徴情報として採用すればよい。
【００５７】
ここで、所定のCM区間検出手法とは、様々な手法の中から採用された所定の手法という意味であって、採用前の段階では、当然ながら任意のCM区間検出手法の中から採用することができる。即ち、CM区間検出手法としては、公知の手法を採用してもよいし、今後登場するであろう新たな手法を採用してもよい。換言すると、CM区間検出手法自体は、本発明の重要な要素ではない。そこで、ここでは、採用可能な公知の手法について１つのみ紹介するに留める。
【００５８】
即ち、一般的には放送番組やCMには映像のみならず音声が含まれており、記録再生装置１１は、放送番組やCMを構成する信号として、映像信号のみならず、音声信号も取得することができる。また、音声信号には幾つかの音声モードが存在し、CMの音声モードはステレオモードであることが多い一方で、放送番組の音声モードはモノラルモードや音声多重モードであることが多いという特徴がある。そこで、記録再生装置１１は、音声モード情報を特徴情報として検出することで、ステレオモードの区間は「CM区間」であると認識すること、即ちCM区間を検出することができる。かかるCM区間検出手法の詳細については、例えば特許第２８５８７５８号明細書に開示されている。
【００５９】
このようなCM区間検出手法を採用することで、記録再生装置１１は、図３の例のシーンカットA，Bの情報等を容易に生成することができるようになる。
【００６０】
また例えば、動画コンテンツ中の所定の特徴を示す点（以下、特徴点と称する）を特徴情報として採用することができる。
【００６１】
この場合、記録再生装置１１は、動画コンテンツ（本実施の形態ではプレゼンテーションデータ５１）の再生中に、特徴点を検出し、その特徴点をチャプタポイントとすることができる。ここで、チャプタポイントとは、チャプタが打たれる時間位置をいう。
【００６２】
具体的には例えば、動画コンテンツが再生される場合、その動画コンテンツの形態が、映像ベースバンド信号や音声PCM信号となるタイミングがある。そこで、例えば、記録再生装置１１は、かかるタイミングにおいて、映像ベースバンド信号または音声PCM信号を所定単位毎（例えばフレーム毎、GOP毎、チャンク毎等）に解析することで、所定の特徴量をその都度検出し、それらの特徴量の時系列推移を認識する。そして、記録再生装置１１は、その認識結果に基づいて、特徴点を検出する。記録再生装置１１は、かかる特徴点をチャプタポイントとして、各チャプタポイント位置を示す情報、例えば、図３のチャプタA，Bといった情報を容易に生成することができるようになる。
【００６３】
また、メタデータ５３とは、上述したように、動画コンテンツ（本実施の形態ではプレゼンテーションデータ５１）の１つの再生パターンを定義したファイルである。即ち、１つのメタデータ５３に対しては、１つの再生パターンでの再生しかできない。しかしながら、ユーザの中には、１つのオリジナルの動画コンテンツ（本実施の形態ではプレゼンテーションデータ５１）を複数の再生パターンで色々再生してみたいという要望を挙げる者もいる。そこで、かかる要望に応えるべく、１枚のディスク３２Ｄ（そこに記録されているプレゼンテーションデータ５１）に対して、記録再生装置１１は、複数の再生パターンをそれぞれ定義した複数のメタデータ５３を作成することもできる。
【００６４】
これにより、ユーザにとっては、１枚のディスク３２Ｄに対して、異なった編集を何回も行えるようになる。さらにまた、１枚のディスク３２Ｄに複数のタイトル（複数のプレゼンテーションデータ５１）が存在するような場合は、内容の異なるプレイリスト（そのプレイリストに対応するメタデータ５３）を複数用意できることにもなる。
【００６５】
以上説明したように、メタデータ５３とは、ディスク３２Ｄの内部に存在するナビゲーションデータ５２に対するナビゲーションデータ、即ち、「外部のナビゲーションデータ」を意味する。このことは、メタデータ５３の格納場所は、ＨＤＤ２９に特に限定されないことを意味している。
【００６６】
例えば、図５に示されるように、記録再生装置１１は、メモリカード等の外部記録メディアやリムーバブルなＨＤＤなどのストレージメディア３２Ｍにも、メタデータ５３を記録させることも容易にできる。
【００６７】
また例えば、本発明が適用される記録再生装置１１として、図６に示されるように、記録再生装置１１Ａと記録再生装置１１Ｂとが存在する場合、記録再生装置１１Ａ内のＨＤＤ２９に記憶されたメタデータ５３は、リムーバブルメディア３２（図６の例ではメモリカード３２Ｃ）にコピーすることも可能である。これにより、記録再生装置１１Ｂは、ディスク３２Ｄとメモリカード３２Ｃとを用いて、メタデータ５３に従ったナビゲーションデータ５２を再生することができるようになる。
【００６８】
即ち、一度メタデータ５３が作成されると、そのメタデータ５３はリムーバブルメディア３２に容易に記録できるようになる。そこで、ユーザは、リムーバブルメディア３２とディスク３２Ｄとを持ち出すことができるようになる。即ち、ユーザは、メタデータ５３を持ち出して、同じ機能を持った別の記録再生装置１１Ｂに移すことができるようになる。これによって、別の記録再生装置１１Ｂでも、同じメタデータ５３に従ったプレゼンテーションデータ５１の再生が可能になる。
【００６９】
なお、メタデータ５３の記録再生装置１１Ａから記録再生装置１１Ｂへの移動の手法自体は、図６の例のようにリムーバブルメディア５３を介在する移動の手法に特に限定されず、例えば、通信による移動の手法も採用できる。さらにいえば、この通信の手法自体も特に限定されず、赤外線通信のように直接通信する手法を採用してもよいし、インターネット等所定のネットワークを介在して通信する手法を採用してもよい。
【００７０】
また、メタデータ５３とは、再生パターンを定義したナビゲーションデータである。ここで、「再生パターン」とは、１つのプレゼンテーションデータ５１だけを再生する再生パターンである必要は特になく、複数のプレゼンテーションデータ５１のそれぞれの一部または全部をつなぎ合せて再生する再生パターンであってもよい。してみると、例えば複数枚のディスク３２Ｄ（複数のプレゼンテーションデータ５１）にまたがるメタデータ５３を作成することも当然ながら可能である。
【００７１】
具体的には例えば、記録再生装置１１が、複数のディスク３２Ｄを同時に搭載して、任意のディスク３２Ｄを再生できる機能、即ちいわゆるチェンジャ機能があるセット機器であるとする。即ち、図７に示されるように、記録再生装置１１は、チェンジャ６１を設けているとする。この場合、記録再生装置１１は、チェンジャ６１に搭載された複数枚のディスク３２Ｄにまたがるメタデータ５３を作成し、それをＨＤＤ２９等に保持させておくことができる。このことによって、例えば、長編映画や連続ドラマなど、複数枚のディスク３２Ｄに分かれて記録されている動画コンテンツに対して、1つのメタデータ５３で一括管理が行えるようになる。その結果、ユーザにとっては、あたかも一つの動画コンテンツとして視聴することができるようになる。さらに、自動でディスク３２Ｄを入れ替えながらの連続再生も容易に可能になる。
【００７２】
以上説明したように、編集制限がなされているディスク３２Ｄに、動画コンテンツの実データであるプレゼンテーションデータ５１と、その再生の第１のパターンを定義するナビゲーションデータ５２とが記録されている場合に、本発明が適用される記録再生装置１１は、その動画コンテンツの再生の第２のパターンを定義する第２のナビゲーションデータを生成し、その第２のナビゲーションデータをメタデータ５３として、ディスク３１とは別の記録媒体、例えばＨＤＤ２９等に記録することができる。
【００７３】
これにより、様々な効果を奏することが可能になる。
【００７４】
例えば、ユーザは、ディスク３２Ｄに対して、HDD２９等に録画されているタイトルを編集する様な感覚で編集できる、という効果を奏することが可能になる。
【００７５】
例えば、ユーザは、ディスク３２Ｄをリッピングすることなく、仮想的に編集が行える、という効果を奏することが可能になる。
【００７６】
例えばディスク３２Ｄのアプリケーションフォーマットに依存することなく、仮想的に編集が行える、という効果を奏することが可能になる。
【００７７】
例えば、DVD-Video以外のフォーマットで作成されたディスク３２Ｄに対しても、ディスク自体を再度編集することなく仮想的な編集が行える、という効果を奏することが可能になる。
【００７８】
例えば、ディスク３２Ｄであっても、CMカットやダイジェスト再生が容易に行える、という効果を奏することが可能になる。
【００７９】
例えば、１枚のディスク３２Ｄに対して複数のメタデータ５３を設ければ、異なった編集ファイルが作成できる、という効果を奏することが可能になる。
【００８０】
例えば、メタデータ５３を外部に持ち出せれば、同じ機能をもった他機器でも編集したディスク再生ができる、という効果を奏することが可能になる。
【００８１】
例えば、複数枚のディスク３２Ｄを関連付ける様なメタデータ５３を作成すれば、複数のディスク３２Ｄに点在しているコンテンツを、仮想的に1つのコンテンツとして扱える、という効果を奏することが可能になる。
【００８２】
ところで、上述した一連の処理は、ハードウエアにより実行させることもできるが、ソフトウエアにより実行させることができる。
【００８３】
一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能なコンピュータ、例えば、図１のＣＰＵ２１を備えるコンピュータは勿論のこと、その他、図示せぬ汎用のパーソナルコンピュータなどに、ネットワークや記録媒体からインストールされる。
【００８４】
このようなプログラムを含む記録媒体は、図１に示されるように、装置本体とは別に、ユーザにプログラムを提供するために配布される、プログラムが記録されている磁気ディスク（フロッピディスクを含む）、光ディスク（CD-ROM(Compact Disk-Read Only Memory),DVD(Digital Versatile Disk)を含む）、光磁気ディスク（ＭＤ（Mini-Disk）を含む）、もしくは半導体メモリなどよりなるリムーバブルメディア（パッケージメディア）３２により構成されるだけでなく、装置本体に予め組み込まれた状態でユーザに提供される、プログラムが記録されているROM２２や、記憶部２８に含まれるハードディスクなどで構成される。
【００８５】
なお、本明細書において、記録媒体に記録されるプログラムを記述するステップは、その順序に沿って時系列的に行われる処理はもちろん、必ずしも時系列的に処理されなくとも、並列的あるいは個別に実行される処理をも含むものである。
【００８６】
また、本明細書において、システムとは、複数の装置や処理部により構成される装置全体を表すものである。換言すると、図１の記録再生装置１１は、システムとして捉えることもできる。この場合、情報処理システムである記録再生装置１１は、例えば、１台の機器として構成しても構わないし、例えば、メタデータ５３を作成する編集機器と、そのメタデータ５３に従った再生を行う再生機器といったように複数の機器で構成しても構わない。
【図面の簡単な説明】
【００８７】
【図１】本発明が適用される記録再生装置の位置構成例を示すブロック図である。
【図２】図１の記録再生装置の動作の一例を説明する図である。
【図３】本発明が適用されるメタデータの具体例を示している。
【図４】図３の例のナビゲーションデータと、図３の例のメタデータとを合成した合成ナビゲーションデータの構成例を示している。
【図５】図１の記録再生装置の動作の一例を説明する図である。
【図６】図１の記録再生装置の動作の一例を説明する図である。
【図７】図１の記録再生装置の動作の一例を説明する図である。
【符号の説明】
【００８８】
１１  記録再生装置，  ２１  CPU，  ２２  ROM，  ２３  RAM，  ２４  圧縮／伸張部，２９  記憶部（ＨＤＤ），  ３２  リムーバブルメディア，  ３２Ｄ  ディスク，  ３２Ｍ  ストレージメモリ，  ３２Ｃ  メモリカード，  ４１  プレゼンテーションエンジン，  ４２  ナビゲーションエンジン，  ５１  プレゼンテーションデータ，  ５２  ナビゲーションデータ，  ５３  メタデータ
【図１】
2009199678.tif 000003
【図２】
2009199678.tif 000004
【図３】
2009199678.tif 000005
【図４】
2009199678.tif 000006
【図５】
2009199678.tif 000007
【図６】
2009199678.tif 000008
【図７】
2009199678.tif 000009